(57)【要約】【課題】本発明は、効率のよい接続設定を行うことができ、設定時の労力削減と機器構成変更の柔軟性を持つ無線ネットワークシステム及びその無線設定情報設定方法を提供することを目的とする。【解決手段】各子機が有線インターフェースを介して自身の機器アドレス情報を含む自動設定要求パケットを親機に送信し、親機が、子機からの自動設定要求パケットを受信する度に、この自動設定要求パケットに含まれる機器アドレス情報を親機内の設定情報記憶部に登録記憶するとともに、親機内の設定情報記憶部に登録されている各子機についての機器アドレス情報および共通設定情報を有線インターフェースを介して各子機にブロードキャスト送信し、各子機が有線インターフェースを介して親機から各子機についての機器アドレス情報および共通設定情報を受信すると、受信した各子機についての機器アドレス情報および共通設定情報を子機内の設定情報記憶部に登録記憶する。【選択図】図２
2006197060.tif 000002
【特許請求の範囲】
【請求項１】
無線端末機器と親機との間に無線中継動作を行う複数の子機を備える無線ネットワークシステムにおいて、
前記各子機は、
無線インターフェースおよび有線インターフェースと、
各子機の機器アドレス情報および各子機共通の共通設定情報を記憶する第１の設定情報記憶部と、
前記有線インターフェースを介して自身の機器アドレス情報を含む自動設定要求パケットを親機に送信するアドレス情報送信手段と、
を備え、
前記親機は、
無線インターフェースおよび有線インターフェースと、
各子機の機器アドレス情報および各子機共通の共通設定情報を記憶する第２の設定情報記憶部と、
前記子機からの自動設定要求パケットを受信する度に、この自動設定要求パケットに含まれる機器アドレス情報を前記第２の設定情報記憶部に登録するとともに前記第２の設定情報記憶部に登録されている各子機についての機器アドレス情報および前記共通設定情報を前記有線インターフェースを介して各子機にブロードキャスト送信する制御手段と
を備え、
前記各子機は、
有線インターフェースを介して親機から各子機についての機器アドレス情報および前記共通設定情報を受信すると、受信した各子機についての機器アドレス情報および前記共通設定情報を前記第１の設定情報記憶部に記憶する記憶手段
をさらに備えることを特徴とする無線ネットワークシステム。
【請求項２】
無線端末機器と親機との間に無線中継動作を行う複数の子機を備える無線ネットワークシステムにおける設定情報設定方法において、
各子機と親機とを有線インターフェースを介して接続した状態で、各子機が前記有線インターフェースを介して自身の機器アドレス情報を含む自動設定要求パケットを親機に送信する第１ステップと、
親機が、前記子機からの自動設定要求パケットを受信する度に、この自動設定要求パケットに含まれる機器アドレス情報を親機内の設定情報記憶部に登録記憶するとともに、前記親機内の設定情報記憶部に登録されている各子機についての機器アドレス情報および共通設定情報を前記有線インターフェースを介して各子機にブロードキャスト送信する第２ステップと、
各子機が有線インターフェースを介して親機から各子機についての機器アドレス情報および前記共通設定情報を受信すると、受信した各子機についての機器アドレス情報および前記共通設定情報を子機内の設定情報記憶部に登録記憶する第３ステップと、
を備えることを特徴とする無線ネットワークシステムにおける無線設定情報設定方法。
【発明の詳細な説明】
【技術分野】
【０００１】
本発明は、無線端末機器と親機との間に無線中継動作を行う複数の子機を備える無線ネットワークシステム及び無線ネットワークシステムにおける無線設定情報設定方法に関する。
【背景技術】
【０００２】
近年、無線接続技術の普及により無線を用いたネットワークの利用が行われるようになってきた。しかし、無線の電波特性や遮蔽物によって電波の到達距離や到達範囲には制限がある。この制限を緩和するため、有線ネットワーク上に複数の中継器を設置して、無線到達範囲を広げる方法が提案されている（特許文献１参照）。（特許文献１）には、携帯通信機器及び複数の中継器を備えた無線データ通信システムにおいて、携帯通信機器は、受信電界強度の強い中継器に対し、位置登録のための識別情報を発信する機能を有し、各中継器は、携帯通信機器のアドレスと各携帯通信機器が通信する際に経由する各中継器アドレスを格納するテーブルを備え、携帯通信機器からの識別情報を受信した場合、前記テーブル内の該携帯通信機器のアドレスに対応した中継器アドレスに自己のアドレスを格納し、有線ネットワークを介して他の中継器に前記テーブルの登録データを送信し、他の中継器からテーブルの登録データを受信した場合には、自己のテーブルを書き換える機能を有し、携帯通信機器が通信する際には、中継器に格納されたテーブルに基づいて通信相手先への接続経路を決定するようにした技術が開示されている。
【０００３】
また、無線到達範囲を広げる別の方法として、無線中継器（リピーター）を用いて無線ネットワークの範囲を広げる方法がある（特許文献２参照）。（特許文献２）には、複数の端末装置と複数の無線中継器から構成される無線データ通信システムにおいて、各端末装置に通信経路データを記憶し、この記憶した通信経路データに従った通信経路で各端末装置間の無線通信を行うとともに、通信経路データを修正する際には、或る端末装置が無線中継器を介して他の端末装置に修正する通信経路データを送信することで、通信経路を修正させることが開示されている。
【０００４】
無線ネットワークを広範囲で使うために複数の無線中継器（リピーター）を使用するためには、中継する対象のホスト（アクセスポイント）あるいは他のリピーターのＭＡＣアドレスなど機器固有の情報をリピーターに登録する必要がある。すなわち、無線ホスト（アクセスポイント）と無線端末機器との間に通信中継動作を行う複数のリピーター（中継機器）を配置するシステムにおいて、多段にリピーターを縦列接続するには、各リピーターに縦列前後のリピーターのＭＡＣアドレスなどの固有情報を設定する必要がある。また同一エリアに複数のリピーターを設置して各リピーターの中継エリアを重ねる場合も各リピーターには他のリピーターのＭＡＣアドレスなどの固有情報の設定を行って、通信経路を確定する必要がある。
【特許文献１】特開２００１−７７８２０号公報
【特許文献２】特開平４−３２１３４０号公報
【発明の開示】
【発明が解決しようとする課題】
【０００５】
しかしながら、上記（特許文献１，２）では、機器構成の変更時や、通信経路の変更時、中継器に機器情報の設定を行う際に、中継器と中継器との通信を用いて接続設定行うようにしているので、接続設定が煩雑であり、一括した短時間での接続設定をなし得ないという問題がある。
【０００６】
上記の問題に鑑み、本発明は、効率のよい接続設定を行うことができ、設定時の労力削減と機器構成変更の柔軟性を持つ無線ネットワークシステム及び無線ネットワークシステムにおける無線設定情報設定方法を提供することを目的とする。
【課題を解決するための手段】
【０００７】
上記課題を解決するために本発明にかかる無線ネットワークシステムは、無線端末機器と親機との間に無線中継動作を行う複数の子機を備える無線ネットワークシステムにおいて、各子機は、無線インターフェースおよび有線インターフェースと、各子機の機器アドレス情報および各子機共通の共通設定情報を記憶する第１の設定情報記憶部と、有線インターフェースを介して自身の機器アドレス情報を含む自動設定要求パケットを親機に送信するアドレス情報送信手段とを備え、親機は、無線インターフェースおよび有線インターフェースと、各子機の機器アドレス情報および各子機共通の共通設定情報を記憶する第２の設定情報記憶部と、子機からの自動設定要求パケットを受信する度に、この自動設定要求パケットに含まれる機器アドレス情報を第２の設定情報記憶部に登録するとともに第２の設定情報記憶部に登録されている各子機についての機器アドレス情報および共通設定情報を有線インターフェースを介して各子機にブロードキャスト送信する制御手段とを備え、各子機は、有線インターフェースを介して親機から各子機についての機器アドレス情報および共通設定情報を受信すると、受信した各子機についての機器アドレス情報および共通設定情報を第１の設定情報記憶部に記憶する記憶手段をさらに備えることを特徴とする。
【０００８】
この構成によれば、機器アドレス情報および共通設定情報を親機および子機に設定登録する際には、親機と複数の子機とは有線インターフェースを介して有線接続される。親機と複数の子機とが、有線接続された状態において、各子機のアドレス情報送信手段は、有線インターフェースを介して自身の機器アドレス情報を含む自動設定要求パケットを親機に送信する。親機の制御手段は、子機からの自動設定要求パケットを受信する度に、この自動設定要求パケットに含まれる機器アドレス情報を親機内の第２の設定情報記憶部に登録するとともにこの第２の設定情報記憶部に登録されている各子機についての機器アドレス情報および共通設定情報を有線インターフェースを介して各子機にブロードキャスト送信する。各子機は、有線インターフェースを介して親機から各子機についての機器アドレス情報および共通設定情報を受信すると、受信した各子機についての機器アドレス情報および共通設定情報を子機内の第１の設定情報記憶部に記憶する。
【０００９】
また、上記課題を解決するために本発明にかかる無線ネットワークシステムにおける無線設定情報設定方法は、無線端末機器と親機との間に無線中継動作を行う複数の子機を備える無線ネットワークシステムにおける無線設定情報設定方法において、各子機と親機とを有線インターフェースを介して接続した状態で、各子機が有線インターフェースを介して自身の機器アドレス情報を含む自動設定要求パケットを親機に送信する第１ステップと、親機が、子機からの自動設定要求パケットを受信する度に、この自動設定要求パケットに含まれる機器アドレス情報を親機内の設定情報記憶部に登録記憶するとともに、親機内の設定情報記憶部に登録されている各子機についての機器アドレス情報および共通設定情報を有線インターフェースを介して各子機にブロードキャスト送信する第２ステップと、各子機が有線インターフェースを介して親機から各子機についての機器アドレス情報および共通設定情報を受信すると、受信した各子機についての機器アドレス情報および共通設定情報を子機内の設定情報記憶部に登録記憶する第３ステップとを備えることを特徴とする。
【００１０】
この方法によれば、機器アドレス情報および共通設定情報を親機および子機に設定登録する際には、親機と複数の子機とを有線インターフェースを介して有線接続する。このように、各子機と親機とを有線インターフェースを介して接続した状態で、各子機が有線インターフェースを介して自身の機器アドレス情報を含む自動設定要求パケットを親機に送信する。親機は、子機からの自動設定要求パケットを受信する度に、この自動設定要求パケットに含まれる機器アドレス情報を親機内の設定情報記憶部に登録記憶するとともに、前記親機内の設定情報記憶部に登録されている各子機についての機器アドレス情報および共通設定情報を前記有線インターフェースを介して各子機にブロードキャスト送信する。各子機は、有線インターフェースを介して親機から各子機についての機器アドレス情報および前記共通設定情報を受信すると、受信した各子機についての機器アドレス情報および前記共通設定情報を子機内の設定情報記憶部に登録記憶する。
【発明の効果】
【００１１】
本発明の請求項１に記載の無線ネットワークシステムによれば、親機と複数の子機とを有線インターフェースを介して有線接続した状態で、複数の子機と親機との有線通信により機器アドレス情報および共通設定情報を親機および子機に設定登録するようにしたので、設定時の労力が軽減され誤入力が防止されるとともに、通信設定を容易かつ完全確実に行えるという効果がある。また、子機間の経路情報の設定が不要となるので、構成変更時に再設定が不要となり、保守性が向上するという効果がある。
【００１２】
本発明の請求項２に記載の無線ネットワークシステムにおける無線設定情報設定方法によれば、親機と複数の子機とを有線インターフェースを介して有線接続した状態で、複数の子機と親機との有線通信により機器アドレス情報および共通設定情報を親機および子機に設定登録するようにしたので、設定時の労力が軽減され誤入力が防止されるとともに、通信設定を容易かつ完全確実に行えるという効果がある。また、子機間の経路情報の設定が不要となるので、構成変更時に再設定が不要となり、保守性が向上するという効果がある。
【発明を実施するための最良の形態】
【００１３】
本発明の請求項１に記載の無線ネットワークシステムは、無線端末機器と親機との間に無線中継動作を行う複数の子機を備える無線ネットワークシステムにおいて、前記各子機は、無線インターフェースおよび有線インターフェースと、各子機の機器アドレス情報および各子機共通の共通設定情報を記憶する第１の設定情報記憶部と、前記有線インターフェースを介して自身の機器アドレス情報を含む自動設定要求パケットを親機に送信するアドレス情報送信手段とを備え、前記親機は、無線インターフェースおよび有線インターフェースと、各子機の機器アドレス情報および各子機共通の共通設定情報を記憶する第２の設定情報記憶部と、前記子機からの自動設定要求パケットを受信する度に、この自動設定要求パケットに含まれる機器アドレス情報を前記第２の設定情報記憶部に登録するとともに前記第２の設定情報記憶部に登録されている各子機についての機器アドレス情報および前記共通設定情報を前記有線インターフェースを介して各子機にブロードキャスト送信する制御手段とを備え、前記各子機は、有線インターフェースを介して親機から各子機についての機器アドレス情報および前記共通設定情報を受信すると、受信した各子機についての機器アドレス情報および前記共通設定情報を前記第１の設定情報記憶部に記憶する記憶手段をさらに備えることを特徴とするものである。この構成により、親機と複数の子機とを有線インターフェースを介して有線接続した状態で、複数の子機と親機との有線通信により機器アドレス情報および共通設定情報を親機および子機に設定登録するので、設定時の労力が軽減され誤入力が防止されるとともに、通信設定を容易かつ完全確実に行えるという効果がある。また、子機間の経路情報の設定が不要となるので、構成変更時に再設定が不要となり、保守性が向上するという作用効果がある。
【００１４】
本発明の請求項２に記載の無線ネットワークシステムにおける無線設定情報設定方法は、無線端末機器と親機との間に無線中継動作を行う複数の子機を備える無線ネットワークシステムにおける無線設定情報設定方法において、各子機と親機とを有線インターフェースを介して接続した状態で、各子機が前記有線インターフェースを介して自身の機器アドレス情報を含む自動設定要求パケットを親機に送信する第１ステップと、親機が、前記子機からの自動設定要求パケットを受信する度に、この自動設定要求パケットに含まれる機器アドレス情報を親機内の設定情報記憶部に登録記憶するとともに、前記親機内の設定情報記憶部に登録されている各子機についての機器アドレス情報および共通設定情報を前記有線インターフェースを介して各子機にブロードキャスト送信する第２ステップと、各子機が有線インターフェースを介して親機から各子機についての機器アドレス情報および前記共通設定情報を受信すると、受信した各子機についての機器アドレス情報および前記共通設定情報を子機内の設定情報記憶部に登録記憶する第３ステップとを備えることを特徴とするものである。この構成により、親機と複数の子機とを有線インターフェースを介して有線接続した状態で、複数の子機と親機との有線通信により機器アドレス情報および共通設定情報を親機および子機に設定登録するので、設定時の労力が軽減され誤入力が防止されるとともに、通信設定を容易かつ完全確実に行えるという効果がある。また、子機間の経路情報の設定が不要となるので、構成変更時に再設定が不要となり、保守性が向上するという作用効果がある。
【００１５】
以下、本発明の実施の形態について図面を用いて説明する。なお、以下の実施の形態に本発明が限定されるものではない。
【００１６】
以下、本発明にかかる無線ネットワークシステム及び無線ネットワークシステムにおける無線設定情報設定方法の実施の形態について説明する。図１は本発明の一実施の形態における無線ネットワークシステムの無線通信運用時の機器構成を示す図を示すものである。図１に示すように、本無線ネットワークシステムは、無線アクセスポイントとしての親機１と、１〜複数の無線端末機器３と、無線端末機器３と親機１との間の無線中継動作を行う無線中継器（無線リピーター）としての複数の子機２（２−１〜２−Ｎ）とを備えている。これら親機１、無線端末機器３および子機２は、無線プロトコル（ＩＥＥＥ８０２．１１規格など）により無線リンクを確立し、そのリンク上でＴＣＰ／ＵＤＰやＴＣＰ／ＩＰプロトコルによる無線通信を行う。
【００１７】
図２は、本発明の一実施の形態における無線ネットワークシステムの無線設定情報送受信時の機器構成を示す図を示すものであり、無線設定情報の自動設定時には、親機１および複数の子機２−１〜２−Ｎはそれぞれの有線インターフェースを介してＬＡＮケーブル（イーサネット（登録商標）ケーブル）などの有線ケーブル１０で有線接続される。図３は本発明の一実施の形態における親機（無線アクセスポイント）の外観構成を示す斜視図を示すものであり、親機１は、例えばＲＪ−４５のＬＡＮインターフェース等の有線インターフェース４と、機器の通信状況を表示する表示手段としてのＬＥＤ５を備えている。有線インターフェース４は、複数個のＬＡＮポートを備えている。
【００１８】
図４は、本発明の一実施の形態における子機（無線リピーター）の外観構成を示す斜視図を示すものであり、子機２は、例えばＲＪ−４５のＬＡＮインターフェース等の有線インターフェース６と、機器の通信状況を表示する表示部としてのＬＥＤ７を備えている。
【００１９】
図５は、本発明の一実施の形態における親機（無線アクセスポイント）の内部構成を示すブロック図である。親機１は、無線設定情報の設定のための通信を行う有線インターフェース４と、通常時の無線通信を行う無線インターフェース２１とを含む通信インターフェース２０を有している。この場合、有線インターフェースは、ＩＥＥＥ８０２．３等のＬＡＮ規格に適合したインターフェース、無線インターフェースは、ＩＥＥＥ８０２．１１規格に適合したインターフェースであるとする。記憶手段２２は、設定情報記憶部２３に対する記憶制御を行うものである。設定情報記憶部２３に設定登録するデータとしては、無線ネットワークを構成する機器（この場合は所属する全子機２）の機器アドレス情報と、無線ネットワークを構成するための共通設定情報である。この場合は、機器アドレス情報として、所属する全子機２の無線ＭＡＣアドレスを持つ。共通設定情報としては、ＩＥＥＥ８０２．１１規格のＳＳＩＤの情報、１１ａ／１１ｂ／１１ｇなど無線通信モード情報、ＷＥＰキーなどの暗号化情報を保持している。表示手段としてのＬＥＤ５は、送信や、受信、情報の格納時など機器の状態を識別表示するものであり、例えば、ＬＥＤの点灯、点滅、点滅間隔により、機器の状態を表す。制御手段２４は、通信相手（子機）からの情報を取得する情報取得手段（受信手段）２５と、通信相手（子機）に例えば無線設定情報を送信する情報送信手段２６と、情報取得手段（受信手段）２５および情報送信手段２６による送受信動作を切り替える切り替え手段２７とを備えて構成されている。この切り替え手段２７としては、情報パケットの送受信時に自動的に所要の切り替え動作を行うものを採用する。
【００２０】
図６は、本発明の一実施の形態における子機（無線リピーター）の内部構成を示すブロック図である。各子機２は、無線設定情報の設定のための通信を行う有線インターフェース６と、通常時の無線通信を行う無線インターフェース３１とを含む通信インターフェース３０を有している。この場合、親機１と同様、有線インターフェースは、ＩＥＥＥ８０２．３等のＬＡＮ規格に適合したインターフェース、無線インターフェースは、ＩＥＥＥ８０２．１１規格に適合したインターフェースであるとする。記憶手段３２は、設定情報記憶部３３に対する記憶制御を行うものである。設定情報記憶部３３に設定登録するデータとしては、無線ネットワークを構成する機器（この場合は、自身および他の子機２）の機器アドレス情報と、無線ネットワークを構成するための共通設定情報である。この場合は、機器アドレス情報として、自身および他の各子機２の無線ＭＡＣアドレスを持つ。共通設定情報としては、ＩＥＥＥ８０２．１１規格のＳＳＩＤの情報、１１ａ／１１ｂ／１１ｇなど無線通信モード情報、ＷＥＰキーなどの暗号化情報を保持している。表示手段としてのＬＥＤ７は、送信や、受信、情報の格納時など機器の状態を識別表示するものであり、例えば、ＬＥＤの点灯、点滅、点滅間隔により、機器の状態を表す。制御手段３４は、通信相手からの情報を取得する情報取得手段（受信手段）３５と、通信相手（親機）に例えば自動設定要求を送信する情報送信手段３６と、情報取得手段（受信手段）３５および情報送信手段３６による送受信動作を切り替える切り替え手段３７とを備えて構成されている。この切り替え手段３７としては、情報パケットとの送受信時に自動的に所要の切り替え動作を行うものを採用する。
【００２１】
つぎに、図７および図８を用いて無線設定情報を親機１および各子機２に設定する際の動作手順を説明する。図７は本発明の一実施の形態における子機の自動設定時の動作手順を示すフローチャートである。図８は本発明の一実施の形態における親機の自動設定時の動作手順を示すフローチャートである。
【００２２】
まず、無線設定情報を親機１および各子機２に設定する際には、図２に示したように、各子機２−１〜２−Ｎを有線インターフェース４，６およびＬＡＮケーブル１０を用いて有線接続する。このような有線接続を検出した各子機２−１〜２−Ｎの情報送信手段３６は、自動設定要求パケットを有線インターフェース６を経由して送信する（Ｓ１００）この自動設定要求パケットには、子機自身の無線ＭＡＣアドレスが子機の機器アドレス情報として含まれている。
【００２３】
親機１の情報取得手段２５は、有線インターフェース４を介して子機２からの自動設定要求パケットを受信すると（Ｓ２００）、受信した自動設定要求パケットから送信元である子機のＭＡＣアドレス情報を取得し、取得した子機のＭＡＣアドレス情報を子機の機器アドレス情報として記憶手段２２内の設定情報記憶部２３に登録記憶する（Ｓ２０１）。続いて、情報送信手段２６は、記憶手段３２の設定情報記憶部２３から、現時点で格納されている各子機の機器アドレス情報（各子機のＭＡＣアドレス）と、ＳＳＩＤ情報などの共通設定情報を読み出し、これら各子機の機器アドレス情報および共通設定情報を有線インターフェース４を経由して接続されている子機にブロードキャスト送信（同報送信）する。これ以降、親機１では、接続されている子機からの自動設定要求を受信するたびに、同様の処理を繰り返し実行する。
【００２４】
一方、子機２側では、自動設定要求パケットを送信後、情報取得手段３５が親機１側からの応答を待ち、一定時間（５〜１０秒程度）以上応答がない場合には（Ｓ１０１）、再び情報送信手段３６が自動設定要求パケットを有線インターフェース６を経由して送信する（Ｓ１００）。子機２側では、親機１側からの応答があった場合、情報取得手段３５が受信した応答パケットから各子機の機器アドレス情報および共通設定情報を抽出し、抽出した各子機の機器アドレス情報および共通設定情報を記憶手段３２の設定情報記憶部３３に登録記憶する（Ｓ１０２）。設定情報記憶部３３に登録記憶される情報は、親機に設定済の子機のＭＡＣアドレス情報（子機の機器アドレス情報）と、無線通信に関する共通設定情報である。
【００２５】
これら情報の格納が終わると、子機の情報取得手段３５は、図示しないタイマーを動作させ（Ｓ１０３）、再度親機１側からの設定情報の受信に備える。これは、他の子機からの自動設定要求パケットが親機に出された場合、その子機の機器アドレス情報を含んだ設定情報を設定する必要があるからである。したがって、タイマーの設定時間（３０秒程度）内に、親機１からの応答パケットを受信すると（Ｓ１０４）、情報取得手段３５は受信した応答パケットから各子機の機器アドレス情報および共通設定情報を抽出し、抽出した各子機の機器アドレス情報および共通設定情報を記憶手段３２の設定情報記憶部３３に登録記憶する（Ｓ１０２）。タイマーの設定時間（３０秒程度）が経過した場合（Ｓ１０５）、全子機の設定が完了したものとして、子機の応答待機状態が解除され、自動設定が完了状態となる。
【００２６】
このようにこの実施の形態によれば、親機１と複数の子機２とを有線インターフェースを介して有線接続した状態で、複数の子機２と親機１との有線通信により機器アドレス情報および共通設定情報を親機１および各子機２に自動的に設定登録するようにしたので、設定時の労力が軽減され誤入力が防止されるとともに、通信設定を容易かつ完全確実に行えるという効果がある。また、子機２間の経路情報の設定が不要となるので、構成変更時に再設定が不要となり、保守性が向上する。また、親機１の有線インターフェースに複数の子機２を接続するようにしたので、子機２からの情報設定要求を同時に受けることができ、親機１から各子機２にほぼ同時に短時間で応答を返すことができる。これにより、子機２間中継のための情報を各子機２に一括的に簡単に設定することができる。
【００２７】
なお、図２の場合は、親機１の有線インターフェースに複数のＬＡＮポートを設け、親機１に複数の子機２を直接接続するようにしたが、親機１の有線インターフェースにハブなどのネットワーク機器を接続し、ハブに複数の子機２を接続し子機２からの自動設定要求を同時に受け付けるようにしてもよい。これにより、親機１の持つ有線インターフェース数に依らず、複数の子機２からの情報設定要求を同時に受け取ることができる。
【００２８】
また、上記実施の形態では、各子機は、図２に示すように、親機との有線接続を検出すると、自動設定要求パケットを親機に送信するようにしたが、子機側、あるいは親機側に自動設定開始スイッチを設け、子機側はこのスイッチの投入を検出した時点で自動設定要求パケットを親機に送信するようにしてもよい。
【産業上の利用可能性】
【００２９】
本発明により、親機および子機に機器アドレス情報および共通設定情報を容易に設定できる。
【図面の簡単な説明】
【００３０】
【図１】本発明の一実施の形態における無線ネットワークシステムの無線通信運用時の機器構成を示す図
【図２】本発明の一実施の形態における無線ネットワークシステムの無線設定情報送受信時の機器構成を示す図
【図３】本発明の一実施の形態における親機（無線アクセスポイント）の外観構成を示す斜視図
【図４】本発明の一実施の形態における子機（無線リピーター）の外観構成を示す斜視図
【図５】本発明の一実施の形態における親機（無線アクセスポイント）の内部構成を示すブロック図
【図６】本発明の一実施の形態における子機（無線リピーター）の内部構成を示すブロック図
【図７】本発明の一実施の形態における子機の自動設定時の動作手順を示すフローチャート
【図８】本発明の一実施の形態における親機の自動設定時の動作手順を示すフローチャート
【符号の説明】
【００３１】
１    親機（無線アクセスポイント）
２    子機（無線リピーター）
３    無線端末機器
４，６    有線インターフェース
５，７    表示手段（ＬＥＤ）
【図１】
2006197060.tif 000003
【図２】
2006197060.tif 000004
【図３】
2006197060.tif 000005
【図４】
2006197060.tif 000006
【図５】
2006197060.tif 000007
【図６】
2006197060.tif 000008
【図７】
2006197060.tif 000009
【図８】
2006197060.tif 000010